【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】  電気化学装置が、機能層の積層体（２）を具備している少なくとも１つのキャリアー基材（１）を有し、前記機能層の積層体（２）が、可逆的及び同時にイオンを挿入することができ且つ２つの導電層の間に配置されている電気化学的に活性な少なくとも１つの層を有している、電気化学装置の処理方法であって、
前記導電層（３、８）のうちの１つの層を除く前記機能層のうちの１つの層の機能を局所的に抑制し、それによって前記機能層の積層体（２）において不活性な周縁部領域の範囲を定めることを特徴とする、電気化学装置の処理方法。
【請求項２】  前記機能層の積層体（２）が、固体材料の層のみを有することを特徴とする、請求項１に記載の方法。
【請求項３】  前記機能層の積層体（２）の全ての前記機能層を前記基材（１）に具備させた後で、処理を行うことを特徴とする、請求項１又は２に記載の方法。
【請求項４】  前記機能層のうちの少なくとも１つの機能層をその厚さ全体にわたって閉じた線（９）に沿って切断し、前記機能層の積層体（２）の不活性領域（１０）の範囲を定めることを可能にすることによって、この少なくとも１つの機能層の機能を局所的に抑制し、ここで前記不活性領域（１０）が、前記閉じた線（９）と前記機能層の積層体（２）の縁との間に位置していることを特徴とする、請求項１〜３のいずれかに記載の方法。
【請求項５】  前記機能層の積層体（２）の縁の輪郭と同様又は同一の比較的小さい輪郭の閉じた線に沿って、前記切断を行うことを特徴とする、請求項４に記載の方法。
【請求項６】  任意の機械的手段によって、又はレーザー照射によって、前記切断を行うことを特徴とする、請求項４及び５のいずれかに記載の方法。
【請求項７】  前記機能層の積層体（２）の層のうちの少なくとも１つの層の周縁部を分解することによって、この少なくとも１つの層の機能を局所的に抑制することを特徴とする、請求項１〜６のいずれかに記載の方法。
【請求項８】  前記局所的な分解が、所望の周縁部不活性領域（１０）を作ることを特徴とする、請求項７に記載の方法。
【請求項９】  前記導電層（３、８）のうちの１つの層を除く前記機能層のうちの少なくとも１つの層の機能を局所的に抑制し、それによって前記機能層の積層体中において「不活性区域」又は周縁部ではない「不活性領域」の範囲を定めることを特徴とする、請求項１〜８のいずれかに記載の方法。
【請求項１０】  前記機能層のうちの少なくとも１つの層の局所的な分解によって、又は局所的な除去によって、前記不活性区域又は不活性領域を得ることを特徴とする、請求項９に記載の方法。
【請求項１１】  第１の導電層（３）の堆積パラメーターを選択して、この第１の導電層（３）を他の層に比べて、比較的抵抗性で、比較的堅く且つ／又は比較的密にすることによって、この第１の導電層（３）を除く全ての機能層に前記抑制処理が影響を与えるようにすることを特徴とする、請求項１〜１０のいずれかに記載の方法。
【請求項１２】  操作の間の前記機能層の積層体（２）における周縁部の短絡を減少させる／なくすための、請求項１〜１１のいずれかに記載の方法の適用。
【請求項１３】  操作の間の前記機能層の積層体（２）における周縁部以外の短絡を減少させる／なくすための方法であって、活性領域の周縁部以外を、処理の後で永続的に発色させることが可能である、請求項１０及び１１のいずれかに記載の方法の適用。
【請求項１４】  パターンを作るための、請求項１０及び１１のいずれかに記載の方法の適用。
【請求項１５】  請求項１〜１１のいずれかに記載の方法を使用して処理されているエレクトロクロミックタイプの電気化学装置であって、
少なくとも１つの周縁部不活性領域（１０）が永続的に着色していない状態に、維持されていることを特徴とする、電気化学装置。
【請求項１６】  請求項１〜１１のいずれかの方法を使用して処理されている電気化学装置であって、
操作の間の漏れ電流が、２０μＡ／ｃｍ以下であることを特徴とする、電気化学装置。
【手続補正２】
【補正対象書類名】明細書
【補正対象項目名】００７５
【補正方法】変更
【補正の内容】
【００７５】
従って本発明の方法は、効果的であり且つ積層体の製造での一連の層の堆積を妨げない。
尚、本発明の実施態様としては、下記の実施態様を挙げることができる：
（実施態様１）  電気化学装置が、機能層の積層体（２）を具備している少なくとも１つのキャリアー基材（１）を有し、前記機能層の積層体（２）が、可逆的及び同時にイオンを挿入することができ且つ２つの導電層の間に配置されている電気化学的に活性な少なくとも１つの層を有している、電気化学装置の処理方法であって、
前記導電層（３、８）のうちの１つの層、特に第１の導電層（３）を除く、前記機能層のうちの少なくとも１つの層の機能を局所的に抑制し、それによって前記機能層の積層体（２）において不活性な周縁部領域の範囲を定めることを特徴とする、電気化学装置の処理方法。
尚、この実施態様１では特に、前記電気化学装置が、前記機能層の積層体（２）が連続的に少なくなくとも下記の層を有するエレクトロクロミックタイプの装置である：
第１の導電層（３）、
Ｈ＋、Ｌｉ＋、及びＯＨ−のようなイオンを可逆的に挿入することができる電気化学的に活性な層（４）であって、特にアノードエレクトロクロミック材料又はカソードエレクトロクロミック材料の電気化学的に活性な層（４）、
電解質層（５、６）、
前記イオンを可逆的に挿入することができる第２の電気化学的に活性な層（７）であって、特にアノードエレクトロクロミック材料又はカソードエレクトロクロミック材料の第２の電気化学的に活性な層（７）、及び
第２の導電層（８）。
（実施態様２）  前記機能層の積層体（２）が、固体材料の層のみを有することを特徴とする、実施態様１に記載の方法。
（実施態様３）  前記機能層の積層体（２）の全ての前記機能層を前記基材（１）に具備させた後で、処理を行うことを特徴とする、実施態様１又は２に記載の方法。
（実施態様４）  前記機能層のうちの少なくとも１つの機能層をその厚さ全体にわたって閉じた線（９）に沿って切断し、前記積層体（２）の不活性領域（１０）の範囲を定めることを可能にすることによって、この少なくとも１つの機能層の機能を局所的に抑制し、ここで前記不活性領域（１０）が、前記閉じた線（９）と前記機能層の積層体（２）の縁との間に位置していることを特徴とする、実施態様１〜３のいずれかに記載の方法。
（実施態様５）  前記機能層の積層体（２）の縁の輪郭と同様又は同一の比較的小さい輪郭の閉じた線に沿って、前記切断を行うことを特徴とする、実施態様４に記載の方法。
（実施態様６）  任意の機械的手段、特に切断手段、若しくはガス、液体、若しくは研磨粒子のジェットの放出手段によって、又はレーザー照射によって、前記切断を行うことを特徴とする、実施態様４及び５のいずれかに記載の方法。
（実施態様７）  特に熱処理によって又はレーザー照射で、前記機能層の積層体（２）の層のうちの少なくとも１つの層の周縁部を分解することによって、この少なくとも１つの層の機能を局所的に抑制することを特徴とする、実施態様１〜６のいずれかに記載の方法。
（実施態様８）  前記局所的な分解、特に結晶化を含む構造変化又は脱水タイプの分解が、所望の周縁部不活性領域（１０）を作ることを特徴とする、実施態様７に記載の方法。
（実施態様９）  前記導電層（３、８）のうちの１つの層を除く前記機能層のうちの少なくとも１つの層の機能を局所的に抑制し、それによって前記機能層の積層体中において「不活性区域」又は周縁部ではない「不活性領域」の範囲を定めることを特徴とする、実施態様１〜８のいずれかに記載の方法。
（実施態様１０）  前記機能層のうちの少なくとも１つの局所的な分解、特に熱処理若しくはレーザー照射による前記機能層のうちの少なくとも１つの層の局所的な分解によって、又は局所的な除去、特に切断機械手段若しくはレーザー照射による局所的な除去によって、前記不活性区域又は不活性領域を得ることを特徴とする、実施態様９に記載の方法。
（実施態様１１）  第１の導電層（３）の堆積パラメーターを選択して、この第１の導電層（３）を他の層、特に前記第２の導電層に比べて、比較的抵抗性で、比較的堅く且つ／又は比較的密にすることによって、この第１の導電層（３）を除く全ての機能層に前記抑制処理が影響を与えるようにすることを特徴とする、実施態様１〜１０のいずれかに記載の方法。
（実施態様１２）  操作の間の前記機能層の積層体（２）における周縁部の短絡を減少させる／なくすための、実施態様１〜１１のいずれかに記載の方法の適用。
（実施態様１３）  操作の間の前記機能層の積層体（２）における周縁部以外の短絡を減少させる／なくす、特に光学的な点欠陥をなくすための方法であって、活性領域の周縁部以外を、例えばインクを使用して、処理の後で永続的に発色させることが可能である、実施態様１０及び１１のいずれかに記載の方法の適用。
（実施態様１４）  パターンを作るための、実施態様１０及び１１のいずれかに記載の方法の適用。
（実施態様１５）  実施態様１〜１１のいずれかに記載の方法を使用して処理されているエレクトロクロミックタイプの電気化学装置であって、
少なくとも１つの周縁部不活性領域（１０）が永続的に着色していない状態に、特に縁部の形で、維持されていることを特徴とする、電気化学装置。
（実施態様１６）  実施態様１〜１１のいずれかの方法を使用して処理されている電気化学装置であって、
操作の間の漏れ電流が、２０μＡ／ｃｍ以下、特に１０μＡ／ｃｍ以下又は５μＡ／ｃｍ以下であることを特徴とする、電気化学装置。